(57)【要約】【課題】子供などが容易に工事現場に侵入することができない工事用安全柵を提供することを目的とする。【解決手段】外形が正面視ほぼ逆Ｖ字状又は正面視ほぼ逆Ｕ字状に構成された支持脚Ｂの一対と、これら一対の支持脚Ｂを所定間隔に隔てて配置した状態で、該支持脚Ｂの少なくとも上端に備えさせたクランプ部１にて挟持されるパイプ部７を支持脚配置方向両端８に備えた矩形状のパネル体Ｃとからなり、前記パネル体Ｃを、前記支持脚Ｂの上端から下端にほぼ渡る上下長さに設定する。【選択図】      図１
2004211452.tif 000002
【特許請求の範囲】
【請求項１】
外形が正面視ほぼ逆Ｖ字状又は正面視ほぼ逆Ｕ字状に構成された支持脚の一対と、これら一対の支持脚を所定間隔に隔てて配置した状態で、該支持脚の少なくとも上端に備えさせたクランプ部にて挟持されるパイプ部を支持脚配置方向両端に備えた矩形状のパネル体とからなり、前記パネル体を、前記支持脚の上端から下端にほぼ渡る上下長さに設定してなる工事用安全柵。
【請求項２】
前記パネル体が、それの外周縁を連続形成するために該パネル体の上下端及び左右端の４箇所に、左右一対の縦リブ及び上下一対の横リブにて形成される閉ループを外周縁に沿って多数備えると共に、該閉ループ内に貫通孔を形成して外周補強部を備え、前記パネル体の外周縁を除いた内側部分に多数の貫通孔からなる網目部を備えさせてなる請求項１記載の工事用安全柵。
【請求項３】
前記パネル体の上下方向中間部に板状のパネル部を備えさせてなる請求項１又は２記載の工事用安全柵。
【請求項４】
前記支持脚が、所定の幅を有すると共にほぼ逆Ｖ字状又はほぼ逆Ｕ字状に形成された外枠部と、この外枠部の左右中心部を挟んで両側に位置する左側部及び右側部それぞれを連結する連結部とからなり、前記外枠部及び連結部のそれぞれが、左右一対の縦リブ及び上下一対の横リブにて形成される閉ループを該外枠部及び連結部の形成方向に沿って多数備えさせると共に該閉ループ内に貫通孔を形成して構成されてなる請求項１記載の工事用安全柵。
【請求項５】
前記支持脚から取り外したパネル体に、他のパネル体を厚み方向で重ね合わせたときに、他のパネル体に形成の被係止部に入り込んで厚み方向と直交する方向への移動を阻止するための係止部を備えさせてなる請求項１〜３のいずれか１項に記載の工事用安全柵。
【請求項６】
前記支持脚の上端に前記パネル体のパイプ部を収容するための凹部を形成し、この凹部に収容されたパイプ部の上方から覆い被せて該パイプ部を前記支持脚に挟持固定する前記クランプ部を、その挟持状態において該クランプ部の上面とこれに連なる前記支持脚の外面とが面一状に連続して円弧状に湾曲した滑らかな曲線を描くように構成してなる請求項１記載の工事用安全柵。
【請求項７】
前記クランプ部の基端部を前記支持脚に回動自在に枢支連結し、前記クランプ部の先端部から前記支持脚に渡って固定ボルトを上方から挿通させるための貫通孔を該クランプ部及び該支持脚に備えさせ、前記挿通させた固定ボルトの下端部に手で挟持して回転できる大きさに設定されたナット部材を螺合してなる請求項１記載の工事用安全柵。
【請求項８】
前記パネル体が、合成樹脂でなり、そのパネル体に点灯ランプを上方から挿入して保持可能な保持部を一体形成してなる請求項１〜７のいずれか１項に記載の工事用安全柵。
【発明の詳細な説明】
【０００１】
【発明の属する技術分野】
本発明は、工事現場などで用いられ、子供などが誤って工事現場内に入ることを防止できる工事用安全柵に関するものである。
【０００２】
【従来の技術】
従来の工事用安全柵は、正面視ほぼ逆Ｖ字状の外枠部と該外枠部の左右中心部を挟んで両側に位置する左側部と右側部それぞれを連結する連結部から構成される支持脚の複数を所定間隔隔てて配置し、これら支持脚の外枠部の上端間と前記連結部間のそれぞれに単管をわたし、外枠部の上端に設けられているクランプ部と前記連結部の左右ほぼ中央部に設けられているクランプ部のそれぞれに前記単管を挟持させている。つまり、支持脚間に上下２本の単管を渡して安全柵として使用している。特に、支持脚の上端に設けられているクランプ部を支持脚本体に組み込んで一体化させることによって、クランプ部が支持脚から突出することがなく、工事用安全柵の組み立てや分解のときなどに突出したクランプ部に手などを接当させて怪我することがないようにしている（例えば、特許文献１参照。）。
【０００３】
【特許文献１】
特開２０００−５４３３０号公報    （第２−４頁、第１図）
【０００４】
【発明が解決しようとする課題】
しかしながら、従来の工事用安全柵は、支持脚間を上下２本の単管を渡して安全柵としているので、支持脚の上端で挟持されている単管と、支持脚の連結部で挟持されている単管の間には、障壁などがなく、この上端で挟持されている上側単管とこれよりも下方の連結部で挟持されている下側単管の間に大きな隙間が発生するため、その隙間を通して身体の小さな子供などが工事現場等に侵入することがあり、改善の余地があった。
【０００５】
本発明は、かかる問題に鑑みてなされたものであり、子供などが容易に工事現場に侵入することができない工事用安全柵を提供することを目的とする。
【０００６】
【課題を解決するための手段】
前記目的を達成するために、本発明の工事用安全柵は、外形が正面視ほぼ逆Ｖ字状又は正面視ほぼ逆Ｕ字状に構成された支持脚の一対と、これら一対の支持脚を所定間隔に隔てて配置した状態で、該支持脚の少なくとも上端に備えさせたクランプ部にて挟持されるパイプ部を支持脚配置方向両端に備えた矩形状のパネル体とからなり、前記パネル体を、前記支持脚の上端から下端にほぼ渡る上下長さに設定することを特徴とするものである。
【０００７】
また、前記パネル体が、それの外周縁を連続形成するために該パネル体の上下端及び左右端の４箇所に、左右一対の縦リブ及び上下一対の横リブにて形成される閉ループを外周縁に沿って多数備えると共に、該閉ループ内に貫通孔を形成して外周補強部を備え、前記パネル体の外周縁を除いた内側部分に多数の貫通孔からなる網目部を備えさせて、パネル部の強度を高めると共に、軽量化してもよい。
【０００８】
また、前記パネル体の上下方向中間部に板状のパネル部を備えさせてもよい。
【０００９】
また、前記支持脚が、所定の幅を有すると共にほぼ逆Ｖ字状又はほぼ逆Ｕ字状に形成された外枠部と、この外枠部の左右中心部を挟んで両側に位置する左側部及び右側部それぞれを連結する連結部とからなり、前記外枠部及び連結部のそれぞれが、左右一対の縦リブ及び上下一対の横リブにて形成される閉ループを該外枠部及び連結部の形成方向に沿って多数備えさせると共に該閉ループ内に貫通孔を形成して、支持脚の強度を高めると共に、軽量化してもよい。
【００１０】
また、前記支持脚から取り外したパネル体に、他のパネル体を厚み方向で重ね合わせたときに、他のパネル体に形成の被係止部に入り込んで厚み方向と直交する方向への移動を阻止するための係止部を備えてもよい。
【００１１】
また、前記支持脚の上端に前記パネル体のパイプ部を収容するための凹部を形成し、この凹部に収容されたパイプ部の上方から覆い被せて該パイプ部を前記支持脚に挟持固定する前記クランプ部を、その挟持状態において該クランプ部の上面とこれに連なる前記支持脚の外面とが面一状に連続して円弧状に湾曲した滑らかな曲線を描くように構成してもよい。
【００１２】
また、前記クランプ部の基端部を前記支持脚に回動自在に枢支連結し、前記クランプ部の先端部から前記支持脚に渡って固定ボルトを上方から挿通させるための貫通孔を該クランプ部及び該支持脚に備えさせ、前記挿通させた固定ボルトの下端部に手で挟持して回転できる大きさに設定されたナット部材を螺合してもよい。
【００１３】
また、前記パネル体が、合成樹脂でなり、そのパネル体に点灯ランプを上方から挿入して保持可能な保持部を一体形成してもよい。
【００１４】
【発明の実施の形態】
以下に、本発明に係る工事用安全柵の実施形態を図面を参照しながら説明する。図１は、本願発明に係る工事用安全柵Ａ（以下、安全柵Ａと称す。）を斜め上方から見たときの斜視図であり、図２は本願発明に係る安全柵Ａのパネル体Ｃの正面図である。
【００１５】
安全柵Ａは、外形が正面視ほぼ逆Ｖ字状に構成された支持脚Ｂの一対と、これら一対の支持脚Ｂ，Ｂをそれらが正面を向いた平行な姿勢で、且つ、それらが所定間隔に隔てて配置した状態で、該支持脚Ｂの上端及び後述の下側の連結部３の上端で左右ほぼ中央にそれぞれ備えさせたクランプ部１にて挟持されるパイプ部７を支持脚配置方向両端の上下２箇所にそれぞれ備えさせると共に支持脚配置方向と面方向がほぼ平行となる姿勢で正面視ほぼ矩形状（ここでは長方形であるが、正方形であってもよい）のパネル体Ｃとによって構成されている。前記支持脚配置方向両端の上下２箇所に備えた上下一対のパイプ部７，７を上下一対のクランプ部１，１にて挟持させることによって、支持脚Ｂ，Ｂに対してパネル体Ｃが回転することを阻止することができる。つまり、支持脚配置方向両端のそれぞれに１個のパイプ部７を備えさせてパネル体Ｃを構成した場合に、パイプ部７に対するクランプ部１の挟持力が小さいと、パネル体Ｃに他物が当たってパネル体Ｃがパイプ部７を中心として回転してしまうことがあるが、支持脚配置方向両端のそれぞれに１個のパイプ部７を備えさせてパネル体Ｃを構成して実施してもよい。尚、以下において、支持脚Ｂに関しては、支持脚配置方向を前後方向とし、支持脚配置方向と直交する方向を左右方向として説明する。
【００１６】
前記各支持脚Ｂは、所定の幅を有すると共にほぼ逆Ｖ字状に形成された外枠部２と、この外枠部２の左右中心部を挟んで両側に位置する左側部２Ａ及び右側部２Ｂそれぞれを上下方向所定箇所にて連結するための連結部３を上下２箇所に備え、さらに、前記パネル体Ｃの支持脚配置方向両端にそれぞれ備えられている上下一対のパイプ部７，７をそれぞれ挟持するクランプ部１を前記外枠部２の上端と下側の連結部３の左右中央部分（長手方向中央部分）に備えている。前記連結部３を上下２箇所に備えさせることによって、支持脚Ｂ自体の強度を飛躍的に向上させることができるが、上側の連結部３を省略して実施することもできる。なお、図１等で示している支持脚Ｂの形状としては正面視ほぼ逆Ｖ字状に構成されているが、上端部分を大きな円弧状にすると共に、支持脚Ｂの左右の脚部分をほぼ垂直になるように構成して正面視ほぼ逆Ｕ字状に構成してもよい。ここでは、一対の支持脚Ｂ，Ｂを同一のものから構成しているが、一方を他方と異なる形状のものから構成することもできる。又、パネル体Ｃの２枚を上下方向に併設できるようにこれらを支持する支持脚Ｂ，Ｂを構成して実施してもよい。
【００１７】
また、前記支持脚Ｂの外枠部２と連結部３は、左右一対の縦リブ４Ａ，４Ａ、４ａ，４ａ、及び上下一対の横リブ４Ｂ，４Ｂ、４ｂ，４ｂにて形成される閉ループ４を外枠部２及び連結部３の形成方向に沿って多数備えさせると共に、該閉ループ４内に貫通孔５を形成している。尚、前記連結部３の閉ループ４内に形成される貫通孔は、外枠部２とほぼ同様な貫通孔であるため、図では省略している。さらに、支持脚Ｂの上端に備えられているクランプ部１の下側と前記下側の連結部３に備えられているクランプ部１の下側には、前記パネル体Ｃを取り外して、他の支持脚Ｂを厚み方向で重ね合わせたときに、他の支持脚Ｂに形成されている被係止部に入り込んで厚み方向と直交する方向への移動を阻止するための十字状の係止部６を備えている。したがって、安全柵Ａを分解し、複数の支持脚Ｂを厚み方向に重ね合わせて積載したときにも、その積載状態が崩れることがなく、取扱性において有利になる。
【００１８】
図３は、パネル体Ｃのパイプ部７を支持脚Ｂのクランプ部１によって挟持させる直前の状態を斜め上方から見たときの斜視図であり、図４は、支持脚Ｂのクランプ部の要部を斜め上方から見たときの斜視図である。
【００１９】
前記各クランプ部１は、パイプ部７を収納（収容）する凹部３０と、下方が開放されると共に内部に縦リブを多数備えたほぼ箱形状の保持カバー２３、断面形状が円形で棒状の枢支部材２４、抜け止め部材２５、固定ボルト２６、ナット部材２７によって構成されている。
保持カバー２３は、その上面とこれに連なる外枠部２の外面とが面一状に連続して円弧状に湾曲して滑らかな曲線を描くような円弧形状をしている。さらに、保持カバー２３の枢支側である基端部の両側壁部（前後壁部）に、外枠部２に回動自在に枢支連結するための一対の挿入孔３１Ａ，３１Ａ（一方のみ図示している）を備え、外枠部２の挿入孔３１Ａ，３１Ａ及び保持カバー２３に形成の挿入孔３１Ｂ，３１Ｂ（一方のみ図示している）に基端部に円盤状の頭部２４ａを備えた前記枢支部材（枢支ピン）２４を挿入し、該枢支部材２４の先端側に形成された環状の溝部２４ｂにＣ字形状の抜け止め部材２５を係止させることにより、枢支部材２４の抜け止め処理を行って、保持カバー２３を枢支連結している。従って、保持カバー２３を枢支部材２４（水平軸芯）周りで回動させることにより、それの長手方向がほぼ上下方向を向いた開放姿勢と、それの長手方向がほぼ水平となる閉じ姿勢とに姿勢変更することができるように構成している。
【００２０】
また、保持カバー２３の基端部に形成した挿入孔３１Ｂとは反対側の先端部に上下方向に貫通し、かつ、水平方向から固定ボルト２６の侵入を許容するための切欠部２８を備えさせ、外枠部２の上端部にパイプ部７を収納（収容）するための凹部３０を形成し、前記凹部３０に収納したパイプ部７に対して開放姿勢の保持カバー２３を水平軸芯周りで回動させることにより上方から覆い被せて閉じ姿勢にした状態でパイプ部７を挟持固定するための固定ボルト２６を上方から挿通させるための上下方向の貫通孔２９を前記外枠部２の凹部３０の直下方に備えさせている。したがって、パイプ部７をクランプ部１の凹部３０に収納し、保持カバー２３をパイプ部７を上方から覆い被せ、固定ボルト２６を前記貫通孔２８及び貫通孔２９に通し、外枠部２の下端から突出した固定ボルト２６の先端にナット部材２７を下方から螺合させることによって、パイプ部７を保持カバー２３と外枠部２の凹部３０とで挟持固定することができる。そして、固定ボルト２６によって保持カバー２３を外枠部２に固定した状態では、支持脚Ｂの上面は円弧状に湾曲した滑らかな曲線を描き、クランプ部１が支持脚Ｂと一体化した状態になっている。
【００２１】
前記固定ボルト２６は、軸部の先端から途中まで螺子部を備えている。また、前記固定ボルト２６と螺合する前記ナット部材２７は、六角柱の本体に、固定ボルト２６に螺合しうる螺孔２７ａを備えると共に、本体の下側には該螺孔２７ａの両側に把持片２７ｂを備え、手で把持できるようにしている。したがって、この把持片２７ｂをナット部材２７に備えさせることで、工具等を使わずに、手で締め付けが行えるようにしている。
【００２２】
一方、図２に示しているパネル体Ｃの正面図において、前記パネル体Ｃは、正面視ほぼ矩形状で合成樹脂からなっており、前記クランプ部１にて挟持されるパイプ部７をパネル体Ｃの左端８Ａ及び右端８Ｂの各上部及び下部にそれぞれ備え、パネル体Ｃの外周縁を連続形成するために該パネル体Ｃの上下端９及び左右端８の４箇所に、左右一対の縦リブ１０ａ，１０ａ、及び上下一対の横リブ１０ｂ，１０ｂにて形成される閉ループ１０を外周縁（左右両端８及び上下両端９）に沿って多数備えさせると共に、該閉ループ１０内に貫通孔１１を形成して外周補強部１２を形成している。なお、パネル体Ｃの上下方向の長さは、図１及び図３に示しているように、前記支持脚Ｂの上端から下側連結部３の下端に渡る長さとなっており、地面とパネル体Ｃの下端面との間に少し隙間が空いているが、子供でも通過することができない小さな隙間である。また、前記パネル体Ｃの下端面が地面に接触する位置にあってもよい。また、パネル体Ｃをそれの上端が支持脚Ｂの上端から少し上方へ突出するように構成したものであってもよい。
したがって、支持脚Ｂ，Ｂ間にパネル体Ｃを設けることにより、小さな子供であっても、安全柵Ａを下方から容易に通過することができなくなり、子供（場合によっては動物）などが工事現場に侵入することを防ぐことができると共に、侵入によって発生する事故を未然に防ぐことができる。
【００２３】
パイプ部７には、前記クランプ部１がパイプ部７を挟持したときに、該パイプ部７がクランプ部１から抜けないように備えられている抜け止め部（フランジ部）２０を備えさせてあり、クランプ部１の挟持力が何らかの原因で小さくなったとしても、パイプ部７がクランプ部１から抜けることを確実に阻止することができるようにしている。
【００２４】
また、前記パネル体Ｃの上下方向中間部に板状のパネル部１３と、このパネル部１３の上部及び下部のそれぞれに大きさの異なる複数種類の貫通孔１４を備えた網目部１５を備えている。
【００２５】
前記パネル部１３は、水抜き用穴１６を備えており、複数のパネル体Ｃを厚み方向を上下方向として積み重ねたときにパネル部１３の表面に雨水などが貯まらないようにしている。そして、このパネル部１３には、広告がデザインされたパネルを用いてもよいし、通行人に対しての報知事項などが記載されたパネルを用いてもよいし、あるいはパネル部１３に報知事項などが記載された紙をテープなどにより直接貼り付けるようにしてもよい。
【００２６】
そして、前記網目部１５は、中心に菱形の第１貫通孔１４Ａと、その第１貫通孔１４Ａに隣接して配置されると共に第１貫通孔１４Ａよりも大きな寸法を有する六角形の第２貫通孔１４Ｂとからなる貫通孔１４を備えている。この第１貫通孔１４Ａ及び第２貫通孔１４Ｂは、後述の縦横補強部１９及び外周補強部１２に近接する部分は、それら貫通孔１４Ａ，１４Ｂが途中で切断された形状になっている。ここでは、２種類の貫通孔１４Ａ，１４Ｂを備えさせているが、同一の貫通孔を備えさせる又は３種類以上の貫通孔を備えさせて実施することもできる。
【００２７】
また、網目部１５，１５間、パネル部１３，１３間、網目部１５とパネル部１３間には、左右一対の縦リブ１７ａ，１７ａ、及び上下一対の横リブ１７ｂ，１７ｂにて形成される閉ループ１７を多数備えると共に、該閉ループ１７内に貫通孔１８を形成して縦横補強部１９を形成して、パネル体Ｃの強度を高めると共に、軽量化を図っている。
【００２８】
また、図５及び図６（ａ）、（ｂ）に示すように、前記上端９Ａ及び下端９Ｂのパイプ部７の近くに係止部２１と、前記係止部２１の裏面側に被係止部２２としての凹部が備えられており、パネル体Ｃと他のパネル体Ｃを厚み方向に重ね合わせると、前記係止部２１が被係止部２２内に入り込み、厚み方向と直交する方向へのパネル体Ｃの移動を阻止することができるようにしている。前記係止部２１は、上下端９に位置する縦リブ１０ａからパネル体Ｃの厚み方向外方向側へ突出する縦突出部２１Ｂと、この縦突出部２１Ｂの縦方向ほぼ中央から横方向に延びると共にパネル体Ｃの厚み方向外方向側へ突出する横突出部２１ＡとからなるＴ字状に突出した凸部であり、他のパネル体Ｃの被係止部２２をなす閉ループ１０内に入り込んで、上方に積み重ねられたパネル体Ｃが下方に位置するパネル体Ｃに対して、厚み方向と直交する方向、つまり前記左右方向や上下方向のどの方向へも移動することを阻止することができるようにしている。前記係止部２１及び被係止部２２をパネル体Ｃの角部付近（パネル体Ｃの外周縁）に形成することによって、パネル体Ｃを持って一方の係止部２１に他方の被係止部２２に係止させるときに容易に目視できることから、係止作業を迅速に行うことができる利点があるが、パネル体Ｃの外周縁以外の箇所に係止部２１及び被係止部２２を形成してもよい。また、係止部２１及び被係止部２２の形状は、図に示す形状以外の十字形状やそれ以外の形状であってもよい。
また、図では、被係止部２２に対して係止部２１を小さく形成することによって、両者の係止を容易に行えるようにしているが、被係止部２２の大きさに対して同一又はほぼ同一の大きさの係止部２１を形成してもよい。
【００２９】
また、パネル体Ｃの上端９Ａの左右中央部（パネル体Ｃの長手方向中央部）に円筒状（角筒状等どのような形状のものでもよい）の点灯ランプ３３を上方から挿入して保持可能な保持部３２を備えさせてもよい。この保持部３２は、前記パネル体Ｃの長手方向中央部に位置する縦横補強部１９内に一体形成されており、パネル体Ｃの上端９Ａ、つまり外周補強部１２の上端に形成され、点灯ランプ３３の下端を下方へ挿入案内するための貫通孔３２ａと、この貫通孔３２ａに挿入された点灯ランプ３３の下方側部に接当して縦横補強部１９の厚み方向両側の開口からパネル体Ｃの外部へ点灯ランプ３３の下端が移動することを阻止するための上下方向２箇所に備えられた上下一対の案内部３２ｃ，３２ｂと、点灯ランプ３３の下端面を受け止める前記横リブ１７ｂとからなっている。前記案内部３２ｃ，３２ｂは、円筒状体を上下方向で２分割した平面視円弧形状の湾曲板形状になっており、縦横補強部１９の厚み方向両側の開口のうちの一方の開口の上側を閉じる上側案内部３２ｃと、他方の開口の下側を閉じる下側案内部３２ｂとからなっている。点灯ランプ３３の筒部３３ａには、電池などの電源を供えさせて点灯部３３ｂに電源を供給する。尚、点灯部３３ｂは、ランプに限定するものではなく、反射板などであってもよい。
したがって、夜間などの暗い場所に安全柵Ａを設置しても、遠方からでも安全柵Ａの存在に気づくことができ、車などが安全柵Ａに気付かずに、衝突することを防ぐことができる。
【００３０】
【発明の効果】
以上の如く、本発明の工事用安全柵は、一対の支持脚とこれら支持脚間に備えられるパネル体とから成り、パネル体は上下長さを前記支持脚の上端から下端にほぼ渡る長さとなっているので、子供などが工事現場に侵入することを確実に防ぐことができると共に、それらの侵入によって発生する事故を未然に防ぐことができる。
【００３１】
また、パネル体の外周縁は、左右一対縦リブ及び上下一対の横リブにて形成される閉ループを連続して備えるので、強度が高く、軽量化された工事用安全柵を得ることができる。また、前記閉ループ内は貫通孔を備えているので、さらに軽量化された工事用安全柵を得ることができる。さらに、パネル体に多数の貫通孔からなる網目部を備えているので、軽量化された工事用安全柵を得ることができる。
【００３２】
また、パネル体の上下方向中間部に板状のパネル部を備えているので、このパネル部に、通行人への報知事項などを表示可能な工事用安全柵を得ることができ、便利に使用することができる。
【００３３】
また、支持脚の外枠部及び連結部のそれぞれが、左右一対の縦リブ及び上下一対の横リブにて形成される閉ループによって構成され、さらに、この閉ループ内に貫通孔を形成して構成されているので、強度が高く、軽量化された工事用安全柵を得ることができる。
【００３４】
また、パネル体の上端及び下端には、他のパネル体に形成された被係止部に入り込んで、厚み方向と直交する方向への移動を阻止するための係止部を備えているので、移動時や保管時に複数のパネル体を厚み方向に重ね合わせて積載したときにも、その積載状態が崩れることがなく、取扱性において有利になる。
【００３５】
また、支持脚は支持脚のクランプ部の上面と支持脚の外面とが面一状に連続して円弧状に湾曲した滑らかな曲線を描くように構成されているので、工事用安全柵の組み立てや分解を行う際に怪我をしたりすることがなく安全である。
【００３６】
また、クランプ部の保持カバーを固定するときに使用するナット部材は、手で把持して回転できる大きさに設定されているので、工具を必要とせず、ナット部材を手で回転して締め付けることができる。
【００３７】
また、パネル体の上端の左右中央部に点灯ランプを上方から挿入して保持することが可能な保持部を備えているので、工事用安全柵に点灯ランプを備えさせることができる。したがって、夜間などの暗い場所に工事用安全柵を設置した場合でも、遠方からでも容易に工事用安全柵の存在を認識することができる。
【図面の簡単な説明】
【図１】工事用安全柵を斜め上方から見た斜視図である。
【図２】工事用安全柵のパネル体の正面図である。
【図３】パネル体のパイプ部を支持脚のクランプ部によって挟持させる直前の状態を斜め上方からの斜視図である。
【図４】支持脚のクランプ部の要部を斜め上方からの斜視図である。
【図５】係止部及び被係止部の形状を示す２つのパネル体の斜視図である。
【図６】（ａ）は図５のＤ−Ｄ線で断面にしたパネル体を上下方向で重ねた状態を示す要部の断面図、（ｂ）は図５のＥ−Ｅ線で断面にしたパネル体を上下方向で重ねた状態を示す要部の断面図である。
【図７】点灯ランプを工事用安全柵に挿入する直前の斜視図である。
【符号の説明】
１    クランプ部      ２    外枠部
３    連結部          ４    閉ループ
４Ａ，４ａ  縦リブ
４Ｂ，４ｂ  横リブ
５    貫通孔          ６    係止部
７    パイプ部        ８    左端、右端
９    上端、下端    １０    閉ループ
１０ａ  縦リブ        １０ｂ  横リブ
１１    貫通孔        １２    外周補強部
１３    パネル部      １４    貫通孔
１４Ａ  第１貫通孔    １４Ｂ  第２貫通孔
１５    網目部        １６    水抜き用穴
１７    閉ループ      １７ａ  縦リブ
１７ｂ  横リブ        １８    貫通孔
１９    縦横補強部    ２０    抜け止め部
２１    係止部        ２１Ａ  横突出部
２１Ｂ  縦突出部      ２２    被係止部
２３    保持カバー    ２４    枢支部材
２４ａ  頭部          ２４ｂ  溝部
２５    抜け止め部材  ２６    固定ボルト
２７    ナット部材    ２７ａ  螺孔
２７ｂ  把持片        ２８    切欠部
２９    貫通孔        ３０    凹部
３１    挿入孔        ３２    保持部
３２ａ  貫通孔        ３２ｂ  下側案内部
３２ｃ  上側案内部    ３３    点灯ランプ
３３ａ  筒部          ３３ｂ  点灯部
Ａ    工事用安全柵
Ｂ    支持脚
Ｃ    パネル体
【図１】
2004211452.tif 000003
【図２】
2004211452.tif 000004
【図３】
2004211452.tif 000005
【図４】
2004211452.tif 000006
【図５】
2004211452.tif 000007
【図６】
2004211452.tif 000008
【図７】
2004211452.tif 000009